(57)【要約】【課題】カクテル及び／もしくは混合飲料を作るように構成された新しいツール及び／もしくは容器、特に、容易に持ち運べるツール及び／もしくは容器を提供する。【解決手段】容器、蓋、柑橘搾り器、及びキャップを含むアセンブリ。蓋は、第1及び第2の向きの両方で容器に係合するように構成されている。柑橘搾り器は、格納及び使用の向きの両方で蓋に取り外し可能に連結可能である。キャップは、蓋に取り外し可能に取り付け可能である。容器、第1の向きにある蓋、柑橘搾り器（使用向きもしくは格納向きのいずれか）、及びキャップは、キットアセンブリを形成するように共に取り外し可能に連結可能である。容器、第1の向きにある蓋、及びキャップは、カクテルシェーカーを形成するように共に取り外し可能に連結可能である。前記容器、第2の向きにある蓋、及び使用向きにある柑橘搾り器は、第1の搾汁アセンブリを形成するように共に取り外し可能に連結可能である。【選択図】図３
2017127633.tif 000002
【特許請求の範囲】
【請求項１】
内部と、前記内部の中へ開口部を画定するリム部と、を有する容器であって、前記内部が流体を収容するように構成される、容器と、
貫通チャネルと、前記貫通チャネルを横切って延在するストレーナーと、を有する蓋であって、前記蓋が第１の向き及び異なる第２の向きの両方において前記容器に対して位置決め可能であり、前記蓋が前記第１の向きにあるとき前記容器に取り外し可能に連結可能であり、前記蓋が前記第２の向きにあるとき前記容器の前記リムの上に載るように構成され、前記蓋が前記容器に連結されるとき前記貫通チャネルが前記開口部と流体連通し、前記蓋が前記容器に連結されているとき、前記流体が前記内部から開口部を通って前記貫通チャネルの中へかつ前記ストレーナーを通って流れる際に前記流体を濾すように、前記ストレーナーが動作可能である、蓋と、
前記貫通チャネル内で前記蓋に取り外し可能に連結可能である柑橘搾り器と、
前記貫通チャネルを閉めるために前記蓋に取り付けられるように構成されるキャップであって、前記容器、前記第１の向きにある前記蓋、前記柑橘搾り器、及び前記キャップが共に取り外し可能に連結されてキットアセンブリを形成するように構成され、前記容器、前記第１の向きにある前記蓋、及び前記キャップが共に取り外し可能に連結されてカクテルシェーカーを形成するように構成され、前記容器、前記第２の向きにある前記蓋、及び前記柑橘搾り器が共に取り外し可能に連結されて搾汁アセンブリを形成すように構成される、キャップと、を備える、キット。
【請求項２】
前記ストレーナーが前記貫通チャネルの内部で前記蓋に恒久的に取り付けられている、請求項１に記載のキット。
【請求項３】
前記ストレーナーが前記蓋から取り外し可能であり、
前記ストレーナーが前記搾汁アセンブリから省略されるように、前記搾汁アセンブリが形成される前に前記ストレーナーが前記蓋から取り外される、請求項１に記載のキット。
【請求項４】
前記カクテルシェーカーが前記柑橘搾り器を含まない、請求項１に記載のキット。
【請求項５】
前記柑橘搾り器が前記蓋に対して格納向き及び異なる使用向きの両方で前記蓋に取り外し可能に連結可能であり、
前記柑橘搾り器が前記搾汁アセンブリにおいて前記使用向きで前記蓋に連結され、
前記柑橘搾り器が、前記キットアセンブリにおいて前記格納向きもしくは前記使用向きのいずれかで前記蓋に連結されている、請求項１に記載のキット。
【請求項６】
前記柑橘搾り器は、前記柑橘搾り器が格納向きにあるときに前記貫通チャネルの中へ延在する搾り突起を有し、
前記搾り突起が、前記柑橘搾り器が前記使用向きにあるときに前記蓋を越えて前記貫通チャネルから外向きに延在する、請求項５に記載のキット。
【請求項７】
前記蓋及び前記柑橘搾り器のうちの第１の片方が複数の突起を有し、
前記蓋及び前記柑橘搾り器のうちの異なる第２の片方が複数のチャネルを有し、
位置決めするために前記柑橘搾り器が前記格納向きもしくは前記使用向きのいずれかで少なくとも部分的に前記貫通チャネルの内部に挿入されるとき、前記複数の突起が前記複数のチャネルと整合して中に挿入され、
前記複数の突起を前記複数のチャネルを通って移動させ、それによって前記柑橘搾り器を前記蓋に取り外し可能に連結するために、前記柑橘搾り器が少なくとも部分的に前記貫通チャネルの内部にあるとき、前記蓋及び前記柑橘搾り器のうちの少なくとも片方が回動自在である、請求項５に記載のキット。
【請求項８】
前記蓋及び前記容器のうちの第１の片方が複数の突起を有し、
前記蓋及び前記容器のうちの異なる第２の片方が複数のチャネルを有し、
前記複数の突起を前記複数のチャネルの内部に位置決めするために、前記第１の向きにある前記蓋が前記開口部の中へ部分的に挿入可能であり、
前記複数のチャネルを通って前記複数の突起を移動させ、それによって前記蓋を前記容器に取り外し可能に連結するために、前記蓋が前記開口部の中へ部分的に挿入されるとき、前記蓋及び前記容器のうちの少なくとも片方が回動自在である、請求項１に記載のキット。
【請求項９】
前記蓋及び前記容器のうちの第１の片方が複数の突起を有し、
前記蓋及び前記容器のうちの異なる第２の片方が複数のチャネルを有し、
前記複数の突起を前記複数のチャネルの内部に位置決めするように、前記第１の向きにある前記蓋が前記容器に対して位置決め可能であり、
前記複数の突起を前記複数のチャネルを通って移動させ、それによって前記蓋を前記容器に取り外し可能に連結するために、前記蓋及び前記容器のうちの少なくとも片方が回動自在である、請求項１に記載のキット。
【請求項１０】
前記開口部を通って前記容器の前記内部の内側に収容され、かつ前記容器の前記内部から取り外されるように構成される複数のコップを更に備える、請求項１に記載のキット。
【請求項１１】
前記複数のコップのうちの選択された１つが、コップ内部への開口部を画定するリムを有し、
前記柑橘搾り器が搾り突起及び少なくとも１つの貫通穴を有し、
前記柑橘搾り器が、前記搾り突起が前記コップ内部から離れて上向きに延在する状態で前記選択されたコップの前記リムの上に載るように構成され、
前記柑橘搾り器が前記選択されたコップの前記リムの上に載っているとき、前記搾り突起が、柑橘果物をそれに対して押し付けて柑橘果汁を生成するように構成され、
前記柑橘搾り器が前記選択されたコップの前記リムの上に載っているとき、前記少なくとも１つの貫通穴によって前記柑橘果汁が前記コップ内部の中へ流れることができる、請求項１０に記載のキット。
【請求項１２】
柑橘果汁を格納するための内部を有する容器と、
貫通チャネルを有する蓋であって、前記蓋が前記容器に対して第１の向きで前記容器と係合されるとき、前記蓋が前記容器の内部と流体連通し、前記蓋が前記容器に対して異なる第２の向きで前記容器と係合されるとき、前記蓋の前記貫通チャネルもまた前記容器の前記内部と流体連通する、蓋と、
前記蓋に対して格納向きで前記蓋と取り外し可能に連結可能な柑橘搾り器であって、前記柑橘搾り器がまた、前記蓋に対して異なる使用向きで前記蓋に取り外し可能に連結可能であり、前記柑橘搾り器が搾り突起及び少なくとも１つの貫通穴を有し、前記柑橘搾り器が前記使用向きで前記蓋に連結されるとき、前記少なくとも１つの貫通穴が前記貫通チャネルと流体連通し、前記柑橘搾り器が前記使用向きで前記蓋に連結され、かつ前記蓋が前記第１の向きで前記容器と係合されるとき、前記搾り突起が柑橘果物をそれに対して押し付けて柑橘果汁を生成するように構成され、前記少なくとも１つの貫通穴によって前記柑橘果汁が前記蓋の前記貫通チャネルの中へ流れることが可能になり、前記柑橘果汁が前記蓋の前記貫通チャネルを通って前記容器の前記内部の中へ流れる、柑橘搾り器と、を備える、搾汁アセンブリ。
【請求項１３】
前記蓋を前記第１及び第２の向きのうちの選択された片方から前記第１及び第２の向きのうちの異なる片方へ移行させるために、前記蓋が前記容器から係合解除されて離間し、回動される、請求項１２に記載の搾汁アセンブリ。
【請求項１４】
前記柑橘搾り器を前記格納及び使用向きのうちの選択された片方から前記格納及び使用向きのうちの異なる片方へ移行させるために、前記柑橘搾り器が前記蓋から連結解除されて離間し、回動される、請求項１２に記載の搾汁アセンブリ。
【請求項１５】
前記柑橘果汁が生成された後に前記蓋が前記容器から係合解除されるように構成され、
前記柑橘果汁が生成された後に前記柑橘搾り器が前記蓋から連結解除されるように構成され、
前記容器が１つ以上の材料を前記容器の前記内部に受容するように構成される前記内部への開口部を有し、
前記蓋が前記第２の向きで前記容器と再係合されるように構成され、
前記搾汁アセンブリが、前記蓋が前記第２の向きで前記容器と係合されるとき前記貫通チャネルを閉じるために前記蓋に取り付けられように構成されるキャップを更に備え、前記柑橘果汁及び前記１つ以上の材料を共に混合するために前記柑橘果汁が前記容器の前記内部にあるとき、前記容器、前記蓋、及び前記キャップが単一体として共にシェイク可能である、請求項１２に記載の搾汁アセンブリ。
【請求項１６】
前記蓋が、前記柑橘果汁が生成された後に前記容器から係合解除されるように構成され、
前記柑橘搾り器が、前記柑橘果汁が生成された後に前記蓋から連結解除されるように構成され、
前記柑橘搾り器が前記格納向きで前記蓋に再連結されるように構成され、
前記蓋が、前記柑橘搾り器が前記格納向きで前記蓋と連結されるとき前記第２の向きで前記容器と再係合されるように構成され、
前記搾汁アセンブリが、前記蓋が前記第２の向きで前記容器に係合されるとき前記貫通チャネルを閉じるために前記蓋に取り付けられように構成されるキャップを更に備え、前記容器、前記蓋、前記柑橘搾り器、及び前記キャップが単一体として共に持ち運び可能である、請求項１２に記載の搾汁アセンブリ。
【請求項１７】
前記容器が前記内部への開口部を有し、
前記搾汁アセンブリが前記開口部を通って前記容器の前記内部に設置されるようにかつ前記開口部を通ってそこから取り外されるように構成される複数のコップを更に備え、
前記蓋が、前記柑橘搾り器が前記格納向きでそれと連結されている状態で前記第２の向きで前記容器と再係合されるとき、前記複数のコップが前記蓋によって前記容器の前記内部に捕捉される、請求項１２に記載の搾汁アセンブリ。
【請求項１８】
前記蓋及び前記容器を共に取り外し可能に連結することによって前記蓋が前記第１の向きで前記容器と係合され、
前記容器がリムによって画定された前記内部への開口部を有し、
前記蓋を前記容器の前記リムに対して位置決めすることによって前記蓋が前記第２の向きで前記容器と係合される、請求項１２に記載の搾汁アセンブリ。
【請求項１９】
前記蓋が、バイオネット型結合を使用して前記容器に取り外し可能に連結される、請求項１８に記載の搾汁アセンブリ。
【請求項２０】
前記柑橘搾り器がバイオネット型結合によって前記使用向きで前記蓋に取り外し可能に連結され、
前記柑橘搾り器が同じバイオネット型結合によって前記格納向きで前記蓋に取り外し可能に連結される、請求項１２に記載の搾汁アセンブリ。
【請求項２１】
前記蓋が前記貫通チャネルを横切って延在するストレーナーを有する、請求項１２に記載の搾汁アセンブリ。
【請求項２２】
アセンブリとして共に連結した容器、蓋、柑橘搾り器、及びキャップの使用方法であって、
前記アセンブリを、
（ａ）前記蓋から前記キャップを連結解除することと、
（ｂ）前記容器から第１のサブアセンブリを分離することであって、前記第１のサブアセンブリが前記蓋に連結された前記柑橘搾り器を含み、前記柑橘搾り器が前記第１のサブアセンブリにおいて前記蓋に対して格納向きまたは使用向きのいずれかで前記蓋に連結される、分離することと、
（ｃ）前記柑橘搾り器が前記第１のサブアセンブリ内に前記格納向きで前記蓋に連結されている場合、前記柑橘搾り器を前記蓋から連結解除することによって前記第１のサブアセンブリを分解することと、によって分解することと、
少なくとも１種の材料を前記容器に加えることと、
搾汁サブアセンブリを、
（ａ）前記第１のサブアセンブリが分解されている場合、前記柑橘搾り器を前記蓋に対して前記使用向きにして、前記第１のサブアセンブリを再び組み立てることと、
（ｂ）前記容器に対して逆向きに前記蓋を位置決めすることと、
（ｃ）前記柑橘搾り器を前記蓋に対して前記使用向きで前記蓋に連結して、前記蓋を前記容器上に前記逆向きに設置することと、によって組み立てることと、
前記柑橘搾り器の搾り突起上で柑橘果物を搾って、前記柑橘搾り器及び前記蓋の両方を通って前記容器の内部へ流れる柑橘果汁を生成することと、
前記容器から前記蓋を取り外すこと、及び前記蓋から前記柑橘搾り器を連結解除することによって前記搾汁サブアセンブリを分解することと、
カクテルシェーカーサブアセンブリを、
（ａ）前記容器に対して直立向きに前記蓋を位置決めすることと、
（ｂ）前記柑橘搾り器が前記蓋から連結解除された後に前記直立向きで前記蓋を前記容器に連結することと、
（ｃ）前記キャップを前記蓋に取り付けることと、によって組み立てることと
前記柑橘果汁及び前記少なくとも１種の材料を共に混合して混合物を形成するために前記カクテルシェーカーサブアセンブリをシェイクすることと、
前記蓋から前記キャップを取り外すことと、
前記カクテルシェーカーサブアセンブリから前記混合物を注ぐことと、を含む、方法。
【請求項２３】
前記容器から前記蓋を連結解除することによって前記カクテルシェーカーサブアセンブリを分解することと、
前記アセンブリを（ａ）前記蓋に対して前記使用向きもしくは前記格納向きのいずれかで前記柑橘搾り器を前記蓋に連結することによって前記第１のサブアセンブリを再び組み立てること、（ｂ）前記第１のサブアセンブリを前記容器に連結すること、及び（ｃ）前記キャップを前記蓋に連結すること、によって再び組み立てることと、を更に含む、請求項２２に記載の方法。
【請求項２４】
前記容器内部に収容されている複数のコップを含む前記アセンブリに使用するための方法であって、前記アセンブリを分解することが、前記複数のコップを前記容器から取り外すことを更に含み、
前記アセンブリを再び組み立てることが、前記第１のサブアセンブリが前記容器に連結される前に前記複数のコップを前記容器内部に設置することを更に含む、請求項２３に記載の方法。
【請求項２５】
前記カクテルシェーカーサブアセンブリから前記混合物を注ぐことが、前記混合物を前記複数のコップのうちの少なくとも１つの中へ注ぐことを含む、請求項２４に記載の方法。
【請求項２６】
アセンブリとして共に連結した容器、蓋、柑橘搾り器、コップ、及びキャップの使用方法であって、
前記アセンブリを、
（ａ）前記蓋から前記キャップを連結解除することと、
（ｂ）第１のサブアセンブリを前記容器から分離することであって、前記第１のサブアセンブリが前記蓋に連結された前記柑橘搾り器を含む、分離することと、
（ｃ）前記容器から前記コップを取り外すことと、
（ｄ）前記蓋から前記柑橘搾り器を連結解除することによって前記第１のサブアセンブリを分解することと、によって分解することと、
少なくとも１種の材料を前記容器に加えることと、
前記コップ上に前記柑橘搾り器を設置することと、
前記柑橘搾り器の搾り突起上で柑橘果物を搾って、前記柑橘搾り器を通って前記コップの中へ流れる柑橘果汁を生成することと、
前記柑橘搾り器を前記コップから取り外すことと、
前記柑橘果汁を前記コップから前記容器の中へ注ぐことと、
カクテルシェーカーサブアセンブリを、
（ａ）前記蓋を前記容器に対して直立向きに位置決めすることと、
（ｂ）前記柑橘搾り器が前記蓋から連結解除された後に前記蓋を前記直立向きで前記容器に連結することと、
（ｃ）前記キャップを前記蓋に取り付けることと、によって組み立てることと、
前記柑橘果汁及び前記少なくとも１種の材料を共に混合して混合物を形成するために前記カクテルシェーカーサブアセンブリをシェイクすることと、
前記蓋から前記キャップを取り外すことと、
前記カクテルシェーカーサブアセンブリから前記混合物を注ぐことと、を含む、方法。
【発明の詳細な説明】
【技術分野】
【０００１】
発明の背景
本発明は、一般に、カクテル及び／もしくは混合飲料を調製し、供するのに使用されるカクテルシェーカー等の、ツール及び容器を対象とする。
【背景技術】
【０００２】
幾つかの混合飲料もしくはカクテルを作るには多数のツール及び／もしくは容器の使用を必要とする。例えば、多くのカクテルは、その中で飲料を供するコップに加えてカクテルシェーカーを必要とする。幾つかのカクテルは新鮮な果物を必要とする。例えば、少なくとも２つのカクテルは、通常「レモンドロップ」及び「スネークバイト」と呼ばれていて、生を絞った柑橘果汁を必要とする。異なる人が異なるレシピを用いてもよい一方で、レモンドロップカクテルは典型的には生を絞ったレモンジュース、ウオッカ、砂糖、及び氷片を含む。これらの材料はカクテルシェーカーの中で組み合わされて、これが材料を共に混合するためにシェイク（振り混ぜる）される。混合物がシェイクされた後、混合物は１つ以上のコップもしくはグラスに注がれ供される。任意で、飲料は１つ以上のレモンスライスを添えられていてもよい。
【０００３】
残念ながら、カクテルを作ることは多数のツール及び／もしくは容器を集めて使うことを伴う。これらのツール及び／もしくは容器を持ち運ばなければならないとなるとこれは特に問題がある。
【発明の概要】
【発明が解決しようとする課題】
【０００４】
カクテル及び／もしくは混合飲料を作るように構成された新しいツール及び／もしくは容器に対するニーズが存在する。容易に持ち運べるツール及び／もしくは容器は特に望ましい。
【課題を解決するための手段】
【０００５】
上記の課題は、添付の特許請求の範囲に記載の手段によって解決される。
【０００６】
本出願は、以下の詳細な説明及び添付の図面から明らかになるこれら及び他の利点を提供する。
【図面の簡単な説明】
【０００７】
【図１】容器、蓋、柑橘搾り器、キャップ、及び複数のコップを含むカクテルシェーカー及びツールアセンブリの第１の実施形態の透視図である。
【図２Ａ】図１に示される線２Ａ−２Ａを通って切った図１のアセンブリの断面図である。
【図２Ｂ】図２Ａの上部の拡大である。
【図３】図１のアセンブリの部分的分解透視図である。
【図４】図１のアセンブリの容器、蓋、及びキャップによって構成されるカクテルシェーカーサブアセンブリの断面図である。
【図５Ａ】図１のアセンブリの容器、蓋、及び柑橘搾り器によって構成される第１の搾汁サブアセンブリの断面図である。
【図５Ｂ】柑橘果汁を生成するためにユーザーが図５Ａの第１の搾汁サブアセンブリ（断面で示される）を使用している様子の図解である。
【図６Ａ】図１のアセンブリの柑橘搾り器及びコップの１つによって構成される第２の搾汁サブアセンブリの分解透視図である。
【図６Ｂ】図６Ａの第２の搾汁サブアセンブリの透視図である。
【図７】図１のアセンブリの蓋の分解透視図である。
【図８】図１のアセンブリの蓋下面の透視図である。
【図９】図１のアセンブリのキャップ内部の透視図である。
【図１０】図１のアセンブリのキャップの分解側断面図である。
【図１１】図１のアセンブリの柑橘搾り器上部の透視図である。
【図１２】図１のアセンブリの柑橘搾り器下面の透視図である。
【図１３】蓋に対して格納向きで配置されている、柑橘搾り器に連結された蓋（直立向きで図示）を含む第１のサブアセンブリ断面図である。
【図１４】蓋に対して使用向きで配置されている、柑橘搾り器に連結された蓋（直立向きで図示）含む第２のサブアセンブリの断面図である。
【図１５】カクテルシェーカー及びツールアセンブリの第２の実施形態の透視図である。
【発明を実施するための形態】
【０００８】
図１は、カクテルシェーカー及びツールアセンブリ１００の第１の実施形態の透視図であり、図２Ａは、アセンブリ１００の断面図であり、図２Ｂは図２Ａの断面の拡大図であり、図３はアセンブリ１００の部分的分解透視図である。図１〜２Ｂにおいて、アセンブリ１００の構成要素は、格納及び／もしくは持ち運びのために組み立てられた状態で図示されている。以下に説明されるように、アセンブリ１００の構成要素は１つ以上の異なる混合飲料もしくはカクテルを調製するために使用されてもよい。
【０００９】
図２Ａを参照すると、アセンブリ１００は液密コップ状の容器１１０と、取り外し可能な蓋１１２と、取り外し可能なキャップ１１４と、取り外し可能な柑橘搾り器１１６と、１つ以上の取り外し可能なコップ１２０とを含む。図解を容易にするために、容器１１０は縦軸１３０を有するとして記載される。図２Ａに図示されるように、アセンブリ１００において、コップ（複数）１２０は容器１１０の内部に収容されていて、柑橘搾り器１１６とキャップ１１４の両方は蓋１１２に連結されていて、かつ蓋１１２が容器１１０に連結されている。蓋１１２はコップ（複数）１２０を容器１１０内部に捕捉する。図２Ａ及び図３に図示され実施形態において、コップ（複数）１２０は共に入れ子状になっていてもよい４つの異なるコップ１２０Ａ〜１２０Ｄを含む。しかしながら、これは要件ではない。コップ（複数）１２０はアセンブリ１００から取り外されて別々に使用されてもよい。
【００１０】
アセンブリ１００において、柑橘搾り器１１６が蓋１１２に対して格納向き（図２Ｂ、３、１３、及び１５にも示される）で蓋１１２に連結されている。柑橘搾り器１１６は蓋１１２に対して使用向き（図１４を参照）にアセンブリ１００内部で蓋１１２に代替的に連結されてもよい。柑橘搾り器１１６は蓋１１２から柑橘搾り器１１６を連結解除し、蓋１１２から柑橘搾り器１１６の間隔を開け、かつ蓋１１２に対して柑橘搾り器１１６を回動する（例えば、１８０°）ことによって、格納向きと使用向きとの間で移行される。
【００１１】
アセンブリ１００において、蓋１１２は容器１１０に対して直立向き（図１、２Ｂ、３、４、及び１５にも示される）で容器１１０と係合される（例えば、連結される）。あるいは、蓋１１２は容器１１０に対して逆向き（図５Ａ及び５Ｂを参照）で容器１１０と係合されてもよい（例えば、載置する）。蓋１１２は蓋１１２を容器１１０から係合解除し、蓋１１２を容器１１０から間隔を開け、かつ蓋１１２を容器１１０に対して回動する（例えば、１８０°）ことによって格納向きと使用向きとの間で移行される。
【００１２】
図１５は、カクテルシェーカー及びツールアセンブリ１００′の第２の実施形態の透視図である。アセンブリ１００′及び１００（図１〜３を参照）の同様な構成要素を識別するために同様の参照符号が図の中で用いられている。アセンブリ１００′は２つの点でアセンブリ１００と異なる点以外はアセンブリ１００と実質的に同一である。第１に、アセンブリ１００′が容器１１０（図１〜３を参照）の代わりに容器１１０′を含む。容器１１０′が縦軸１３０（図２Ａ、２Ｂ、及び４を参照）に沿って容器１１０より短いことを除いて、容器１１０′は容器１００と実質的に同一である。第２に、容器１１０′がより短いために、容器１１０′は容器１１０よりも少ないコップしか収容できない。図示された実施形態において、アセンブリ１００′はコップ１２０Ａ及び１２０Ｂだけを含む。換言すれば、コップ１２０Ｃ及び１２０Ｄ（図２Ａ及び３を参照）はアセンブリ１００′から省略される。コップ１２０Ａ及び１２０Ｂはアセンブリ１００′から取り外し可能でありかつ別々に使用可能である。
【００１３】
アセンブリ１００及び１００′の構成要素は、複数の異なる有用なサブアセンブリを形成するために選択的に共に分解されかつ組み立てられるように構成される。換言すれば、アセンブリ１００及び１００′はこれらの異なるサブアセンブリの各々を構築するためのキットであるとしてそれぞれ記載されてもよい。サブアセンブリは少なくともカクテルシェーカーサブアセンブリ１４０（図４を参照）、第１の搾汁サブアセンブリ１５０（図５Ａ及び５Ｂを参照）、及び第２の搾汁サブアセンブリ１６０（図６Ａ及び６Ｂを参照）を含む。アセンブリ１００′がアセンブリ１００と実質的に同一であるために、簡略化の目的として、サブアセンブリ１４０、１５０、及び１６０はアセンブリ１００の構成要素によって構成されるものとして以下に記載される。しかしながら、サブアセンブリ１４０、１５０、及び１６０は、単純にアセンブリ１００の容器１１０の代わりにアセンブリ１００′の容器１１０′を使うことによってアセンブリ１００′の構成要素によって代替的に構成されてもよい。
【００１４】
カクテルシェーカーサブアセンブリ
図４、カクテルシェーカーサブアセンブリ１４０の断面図である。図４を参照すると、容器１１０、蓋１１２（容器１１０に対して直立向き）、及び取り外し可能なキャップ１１４が、カクテルシェーカーサブアセンブリ１４０を形成するために組み立てられてもよい。カクテルシェーカーサブアセンブリ１４０は、従来のカクテルシェーカーと同じ機能性を発揮する。
【００１５】
図４に図示される実施形態において、カクテルシェーカーサブアセンブリ１４０は柑橘搾り器１１６（図２Ａ〜３、５Ａ〜６Ｂ、及び１１〜１５を参照）及びコップ（複数）１２０（図２Ａ〜３及び１５を参照）を省略する。任意で、蓋１１２に対して格納向き（図２Ａ〜３、１３、及び１５を参照）もしくは使用向き（図５Ａ、５Ｂ、及び１４を参照）のいずれかに向けられた柑橘搾り器１１６（図２Ａ〜３、５Ａ〜６Ｂ、及び１１〜１５を参照）が、カクテルシェーカーサブアセンブリ１４０の内部の蓋１１２に連結されてもよい。
【００１６】
蓋１１２及び容器１１０は互いに対して回動自在である。同様に、蓋１１２及び容器１１０′（図１５を参照）は互いに対して回動自在である。簡略化の目的として、アセンブリ（例えば、アセンブリ１００（図１〜３を参照）、アセンブリ１００′（図１５を参照）、またはカクテルシェーカーサブアセンブリ１４０）を構築するためにもしくはかかるアセンブリを分解するために、構成要素の片方が他方に対して回動されてもよい時にはいつでも蓋１１２は容器１１０（または容器１１０′）に対して回動されるものとして記載される。しかしながら、代替において、容器１１０（もしくは容器１１０′）は蓋１１２に対して回動されてもよく、もしくは蓋１１２及び容器１１０（もしくは容器１１０′）が両方とも互いに対して同時に（反対方向に）回動されてもよい。
【００１７】
上述したように、容器１１０′（図１５を参照）は、縦軸１３０（図２Ａ、２Ｂ、及び４を参照）に沿って容器１１０′が容器１１０より短いことを除いて、容器１００と実質的に同一である。したがって、容器１１０だけについて詳細に記載される。それにもかかわらず、容器１１０′は以下に記載される容器１１０の特徴及び構成要素に対応する実質的に同一の特徴及び構成要素を含む。
【００１８】
図４を参照すると、容器１１０は材料１７０（例えば、カクテルを作るために使用される材料）を収容するように構成された流体密中空内部１６８を画定する。非限定例として、材料１７０は次の：ジュース（例えば、図５Ｂに示される柑橘果汁１７２）、アルコール飲料、シロップ、水、砂糖、ハーブ、スパイス、ソース、コーヒ、氷片、炭酸飲料、調味料、等の１種以上を含んでもよい。ユーザー１７４（図５Ｂを参照）は、蓋１１２（容器１１０に対して直立向きで）が容器１１０に取り付けられ、かつキャップ１１４が蓋１１２に取り付けられた後にカクテルシェーカーサブアセンブリ１４０内部の材料１７０をシェイクしてもよい。材料１７０がカクテルシェーカーサブアセンブリ１４０内部でシェイクされた後に、ユーザー１７４（図５Ｂを参照）はキャップ１１４を蓋１１２から取り外しかつ材料１７０を容器１１０から蓋１１２を通って（例えば、図２Ａ〜３及び１５に示される１つ以上のコップ１２０の中へ）注いでもよい。
【００１９】
図３を参照すると、容器１１０は閉めたベース部１８２の反対側に開放上部１８０を有する。開放上部１８０は上方縁部１８５によって取り囲まれた開口部１８４（内部１６８の中へ）を含む。材料１７０（図４）の少なくとも幾つかが開口部１８４を通って容器１１０の内部１６８の中に置かれてもよい。開口部１８４近傍に、上部１８０が内向きに延在する突出部１８６Ａ〜１８６Ｄを有する。図示された実施形態において、内向きに延在する突出部１８６Ａ〜１８６Ｄは、容器１１０の外面１８８に形成された凹みである。容器１１０は外面１８８の反対側の内部１６８に面する内面１８９を有する。
【００２０】
図７を参照すると、図示された実施形態において、蓋１１２はストレーナー１９０と、上方蓋部１９２と、下方蓋部１９４とを含む３分割構造を有する。ストレーナー１９０及び上方蓋部１９２は各々剛性もしくは耐久性材料によって構成されてもよい。
【００２１】
ストレーナー１９０は実質的に円板状であってもよくかつ外径「Ｄ１」を有する実質的に円形外側形状を画定する周縁部１９５を有する。ストレーナー１９０は複数の貫通穴１９６を有する。図示された実施形態において、貫通穴１９６は周縁部１９５から離間されている。図４を参照すると、カクテルシェーカーサブアセンブリ１４０が完全に組み立てられるとき、貫通穴１９６（図７を参照）はストレーナー１９０を通る通路を提供する。
【００２２】
図７を参照すると、上方蓋部１９２は実質的に中空でありかつ中間部２０３によって開放下部２０２に接続された上方ネジ山部２００を有する。開放型内側チャネル２０４は上方蓋部１９２を介して延在する。図４を参照すると、カクテルシェーカーサブアセンブリ１４０が完全に組み立てられるとき、内側チャネル２０４が容器１１０の縦軸１３０と整合し、かつそれに沿って延在する。図７を参照すると、内側チャネル２０４の上方開口部２０６は上方ネジ山部２００において形成され、かつ内側チャネル２０４の下方開口部２０８が下部２０２において形成される。上方ネジ山部２００は、上方開口部２０６を取り囲む上方縁部２１０を有する。下方開口部２０８は、下部２０２において形成された下方縁部２０９によって取り囲まれる。上方ネジ山部２００はそこに形成された外側ねじ部２１４と共に外面２１２を有する。
【００２３】
上方開口部２０６は、ストレーナー１９０の外径「Ｄ１」より大きい上方縁部２１０によって画定された内径「Ｄ２」を有する。実質的に円板状である、ストレーナー１９０は、上方開口部２０６へ挿入されかつ上方ネジ山部２００へ圧入されてもよい。このようにして、ストレーナー１９０は上方ネジ山部２００においてチャネル２０４を横切って延在する。上方ネジ山部２００とストレーナー１９０の周縁部１９５との間の摩擦が、上方蓋部１９２の内部にストレーナー１９０を維持するのに助けとなる。ストレーナー１９０は、チャネル２０４の内部の上方ネジ山部２００に恒久的に取り付けられても（例えば、溶接される）よい。かくて、チャネル２０４を通って上方開口部２０６に向けて流れる材料（例えば、図４に図示されている材料１７０）は、ストレーナー１９０の貫通穴１９６を通過しかつそれによって濾される。換言すれば、ストレーナー１９０は従来のカクテルシェーカーの従来のストレーナーと同じ機能性を発揮する、即ち、材料１７０がカクテルシェーカーサブアセンブリ１４０から流れ出るにつれて、材料１７０から望ましくない品目（例えば氷片、種、等）を濾し分ける。
【００２４】
中間部２０３は、肩部２２０によって上方ネジ山部２００に接続されているテーパー部２１８有する。下部２０２は上方ネジ山部２００より幅広であり、またテーパー部２１８は上方ネジ山部２００近傍でより狭くかつ下部２０２近傍でより幅広である。下部２０２の下方縁部２０９は、下方蓋部１９４に取り付けられかつそれと共に液密シールを形成する。
【００２５】
下方蓋部１９４は、容器１１０の上部１８０と上方蓋部１９２の下方縁部２０９の両方と共に流体密シールを形成するように構成される材料によって構築される。下方蓋部１９４は、一般にリング状になっていてかつ下方コネクタ部２２４に隣接して上部握り部２２２を有する。貫通チャネル２２６は、下方蓋部１９４を通って延在する。図４を参照すると、カクテルシェーカーサブアセンブリ１４０が完全に組み立てられるとき、貫通チャネル２２６は、容器１１０の縦軸１３０と整合し、かつそれに沿って延在する。
【００２６】
図７に戻ると、貫通チャネル２２６の上方開口部２２８は、握り部２２２において形成される。上向き開口チャネル２２９は、上方開口部２２８を取り囲む握り部２２２において形成される。上向き開口チャネル２２９は上方蓋部１９２の下方縁部２０９を受容するように構成されかつそれと共に液密シールを形成する。下方縁部２０９はチャネル２２９内部の下方蓋部１９４に取り付けられる。非限定例として、下方縁部２０９はチャネル２２９内へ圧入されてもよいかもしくは下方縁部２０９チャネル２２９の側壁との間の摩擦によって所定位置に保持されてもよい。任意で、下方縁部２０９をチャネル２２９の内部に貼り付けるために接着剤が使用されてもよい。
【００２７】
図４に見ることができるように、握り部２２２は上方蓋部１９２及び下方コネクタ部２２４より遠めに半径方向に外に向かって延在する。握り部２２２は、容器１１０の開口部１８４（図３を参照）の内部に受容されるには大き過ぎる。しかしながら、図５Ａに示されるように、上蓋部１９２は容器１１０の開口部１８４（図３を参照）の内部に受容されるのに十分小さい。かくて、蓋１１２が容器１１０に対して逆さまの向きにあるとき、握り部２２２が容器１１０の上方縁部１８５の上に載っている状態で上方蓋部１９２は容器１１０の開口部１８４（図３を参照）の内部に置かれてもよい。図４を参照すると、ユーザー１７４（図５Ｂを参照）は握り部２２２を握って握り部２２２を介して蓋１１２に回動力を加えてもよい。同時に、ユーザー１７４（図５Ｂを参照）は容器１１０をしっかりと把持してそれの回動を防止するようにしてもよい。このようにして、蓋１１２は容器１１０に対して回動されてもよい。あるいは、ユーザー１７４（図５Ｂを参照）は容器１１０に対して蓋１１２が回動するのを防止するために握り部２２２をしっかりと握ってもよい（例えば、図５Ｂに図示されるように回動力がユーザー１７４によって柑橘搾り器１１６に対して加えられるとき）。
【００２８】
図８を参照すると、貫通チャネル２２６の下方開口部２３０は下方蓋部１９４の下方コネクタ部２２４において形成される。方方開口部２３０は下方コネクタ部２２４の下方縁部２３２によって取り囲まれる。下方コネクタ部２２４は外面２３６の反対側の内面２３４を有する。図３を参照すると、下方コネクタ部２２４は容器１１０の開放上部１８０において形成された開口部１８４の内部に受容されるように構成されかつその中で回動自在である。
【００２９】
図８を参照すると、円周方向に離間され屈曲もしくは湾曲した外側チャネル２３８Ａ〜２３８Ｄ（外側チャネル２３８Ｂ及び２３８Ｃが図７に示される）が下方コネクタ部２２４の外面２３６において形成される。図示された実施形態において、外側チャネル２３８Ａ〜２３８Ｄが互いに実質的に同一である。外側チャネル２３８Ａ〜２３８Ｄは、各々とも下方縁部２３２から上向きに延在する。図示された実施形態において、外側チャネル２３８Ａ〜２３８Ｄの各々はまた、下方コネクタ部２２４に沿って円周方向に延在する。外側チャネル２３８Ａ〜２３８Ｄは各々とも閉じた端部２４０において終端する。外側チャネル２３８Ａ〜２３８Ｄの各々とも下方縁部２３２に沿って開放している。かくて、図８を参照すると、離間されたチャネル開口部２４２Ａ〜２４２Ｄ（外面２３６において形成される）は下方縁部２３２に沿って位置決めされる。チャネル開口部２４２Ａ〜２４２Ｄは容器１１０（図３を参照）の突起１８６Ａ〜１８６Ｄ（図３を参照）を、それぞれ、外側チャネル２３８Ａ〜２３８Ｄの中へ、それぞれ、受容するように構成される。
【００３０】
円周方向に離間された内側チャネル２４４Ａ及び２４４Ｂは、下方コネクタ部２２４の内面２３４において形成される。図示された実施形態において、内側チャネル２４４Ａ及び２４４Ｂは実質的に互いに同一でありかつ互いから貫通チャネル２２６を横切って位置決めされる。内側チャネル２４４Ａ及び２４４Ｂの各々は、一般にＬ字状でありかつ閉じた第２の脚部２４８へ開放する開放第１の脚部２４６を有する。図示された実施形態において、第１の脚部２４６は第２の脚部２４８に実質的に直交している。第１の脚部２４６は下方縁部２３２から上向きに延在する。第２の脚部２４８は、下方コネクタ部２２４に沿って第１の脚部２４６から離れて円周方向に延在する。第２の脚部２４８はそこに形成されたバンプもしくは突起２５０を有しかつ閉じた端部２５２において終端する。内側チャネル２４４Ａ及び２４４Ｂの各々の第１の脚部２４６は下方縁部２３２に沿って開放する。かくて、内側チャネル２４４Ａ及び２４４Ｂ内への離間された開口部２５４Ａ及び２５４Ｂ（内面２３４において形成された）は、それぞれ、下方縁部２３２に沿って位置決めされる。
【００３１】
図３を参照すると、キャップ１１４は蓋１１２の開放上方ネジ山部２００を受容するように構成されかつ上方ネジ山部２００と共に流体密シールを形成する。かくて、キャップ１１４は上方開口部２０６（図７を参照）を覆いかつ封止する。図１０を参照すると、図示された実施形態において、キャップ１１４はキャップライナー２７５に取り付けられた（例えば、貼り付け、圧入、等）外側キャップ２７４を含む２分割構造を有する。
【００３２】
外側キャップ２７４はキャップライナー２７５を摩耗から保護する剛性もしくは耐久性材料によって構成されてもよい。外側キャップ２７４は開口部２７７を中空内部２７８内に画定する下方リム２７６を有する。
【００３３】
図２Ｂを参照すると、キャップライナー２７５は蓋１１２の上方ネジ山部２００と共に流体密シールを形成するように構成される材料から構築される。図９を参照すると、キャップライナー２７５は外側キャップ２７４の内部２７８（図１０を参照）を裏張りする。図１０を参照すると、キャップライナー２７５はその中に形成された外側キャップ２７４の下方リム２７６を受容するように構成された外側リング状チャネル２７９を有する。かくて、キャップライナー２７５は外側キャップ２７４の下方リム２７６の周りに巻き付きかつ覆う。非限定例として、リム２７６はチャネル２７９内へ圧入してもよいもしくは下方リム２７６チャネル２７９の側壁との間の摩擦によって定位置に固定されてもよい。
【００３４】
図９及び１０を参照すると、キャップライナー２７５は一般にコップ状でありかつ中空内部２８２を画定する内面２８０を有する。内面２８０は、蓋１１２の上方ネジ山部２００の外側ねじ部２１４（図７を参照）に螺合するように構成される内面２８０に形成された内側ネジ山部２８４を有する。外側ねじ部２１４と内側ネジ山部２８４との間の螺合は、キャップ１１４を蓋１１２上に維持しかつ材料１７０（図４を参照）をカクテルシェーカーサブアセンブリ１４０の内部に密封する。
【００３５】
図２Ｂを参照すると、キャップライナー２７５の内面２８０はそこに形成された内側リング状チャネル２９０を有する。チャネル２９０は、上方ネジ山部２００の上方縁部２１０を受容しかつその周りに巻き付けるように構成される。シーリングフランジもしくは側壁２８８はチャネル２９０に沿って内面２８０において形成される。上方ネジ山部２００の上方縁部２１０がチャネル２９０の内部にあるとき、シーリング側壁２８８は、上方縁部２１０に沿ってシールを形成するのに助けとなる。非限定例として、外側ねじ部２１４と内側ネジ山部２８４との間の螺合及び／もしくは上方縁部２１０と内面２８０との間でチャネル２９０内に形成されたシールはナイフエッジシールであってもよい。
【００３６】
上述したように、キャップライナー２７５は外側キャップ２７４の下方リム２７６の周りに巻き付きかつ覆う。キャップ１１４が蓋１１２上に取り付けられる際には、キャップライナー２７５の下部２９８は、蓋１１２に当接するように構成される。図示された実施形態において、下部２９８は肩部２２０に当接する。流体密シールが、キャップライナー２７５の下部２９８と蓋１１２との間に形成されてもよい。
【００３７】
図９及び１０を参照すると、キャップ１１４は材料を計量するのに使用されてもよい。例えば、内面２８０は液体の量（例えば、容積）を識別する１つ以上の計量マーキングもしくはインジケータ２９２Ａ及び２９２Ｂを含んでもよい。図示された実施形態において、インジケータ２９２Ａは内面２８０において形成された肩もしくは突起であり、またインジケータ２９２Ｂはシーリング側壁２８８の開口部をチャネル２９０内へ画定する縁部である。図示された実施形態において、インジケータ２９２Ａは０．５流体量オンスを識別し、またインジケータ２９２Ｂは１流体量オンスを識別する。かくて、キャップ１１４はキャップ１１４を逆さまにして、かつ液体をキャップ１１４の内部２８２へ液体の表面がインジケータ２９２Ａに到達するまで注ぐことによって０．５流体量オンスの液体を計量する計量コップとして使用されてもよい。同様に、キャップ１１４はキャップ１１４を逆さまにしてかつ液体をキャップ１１４の内部２８２へ液体の表面がインジケータ２９２Ｂに到達するまで注ぐことによって１流体量オンスの液体を計量する計量コップとして使用されてもよい。
【００３８】
図４を参照すると、材料１７０が蓋１１２のチャネル２０４（図７を参照）及び２２６（図７を参照）を通って容器１１０の中へもしくは容器１１０から注がれることを可能にするためにキャップ１１４は蓋１１２から選択的に係合解除されてもよい。図７を参照すると、存在するときに、チャネル２０４を横切って位置決めされたストレーナー１９０は材料１７０がチャネル２０４及びストレーナー１９０の貫通穴１９６（図７を参照）を通って流れるにつれて材料１７０（図４を参照）から望ましくない品目（例えば氷片、種、等）を濾し分けてもよい。
【００３９】
図３を参照すると、蓋１１２及び容器１１０を共に組み立ててカクテルシェーカーサブアセンブリ１４０（図４を参照）の一部を形成するために、蓋１１２が容器１１０に対して直立向きで設置される。次いで、チャネル開口部２４２Ａ〜２４２Ｄ（図８を参照）が突起１８６Ａ〜１８６Ｄと、それぞれ整合した状態で、蓋１１２の下方蓋部１９４の下方コネクタ部２２４は容器１１０の開口部１８４の内側に位置決めされる。蓋１１２は突起１８６Ａ〜１８６Ｄが、それぞれ、チャネル開口部２４２Ａ〜２４２Ｄ（図８を参照）の内部に受容されるまで容器１１０内へ圧入される。外側チャネル２３８Ａ〜２３８Ｄが湾曲されるので、蓋１１２の内向きの移動は外側チャネル２３８Ａ〜２３８Ｄの曲率によって停止されてもよい。
【００４０】
次に、突起１８６Ａ〜１８６Ｄが外側チャネル２３８Ａ〜２３８Ｄの閉じた端部２４０（図７及び８を参照）に、それぞれ、当接するまで外側チャネル２３８Ａ〜２３８Ｄを通って、突起１８６Ａ〜１８６Ｄを、それぞれ、駆動するために蓋１１２は容器１１０に対して係合方向（例えば、時計回り方向）に回動される。換言すれば、突起１８６Ａ〜１８６Ｄはチャネル開口部２４２Ａ〜２４２Ｄ（図８を参照）内へ、それぞれ、上向きに摺動する。次いで、突起１８６Ａ〜１８６Ｄが外側チャネル２３８Ａ〜２３８Ｄの閉じた端部２４０（図７及び８を参照）に、それぞれ、遭遇するまで（これが外側チャネル２３８Ａ〜２３８Ｄにおける突起１８６Ａ〜１８６Ｄの移動を停止させる）、突起１８６Ａ〜１８６Ｄは外側チャネル２３８Ａ〜２３８Ｄを通って、それぞれ、上向きに及び円周方向に摺動する。
【００４１】
突起１８６Ａ〜１８６Ｄが外側チャネル２３８Ａ〜２３８Ｄ内に、それぞれ、摺動するにつれて、蓋１１２が、容器１１０の上部１８０において形成された開口部１８４内へ下向きに引っ張られる。突起１８６Ａ〜１８６Ｄが（それぞれ、外側チャネル２３８Ａ〜２３８Ｄ内に）開口部２４２Ａ〜２４２Ｄ（図８を参照）から離れて円周方向に、それぞれ、間隔を開けるとき、蓋１１２は容器１１０から縦軸１３０（図２Ａ及び４に示される）に沿って係合解除されることができない。かくて、蓋１１２は容器１１０上で捩じられるとして記載されてもよい。換言すれば、バイオネット型結合（突起１８６Ａ〜１８６Ｄバイオネットマウントとして機能する）が蓋１１２を容器１１０に取り外し可能に取り付けるために使用される。蓋１１２の下方蓋部１９４の下方コネクタ部２２４の外面２３６と容器１１０の内面１８９との間の摩擦は容器１１０に対して蓋１１２の係合解除方向（例えば、反時計回り方向）に、及びその逆に不注意のもしくは意図しない回動を防止するのに助けとなってもよい。
【００４２】
次に、図４を参照すると、キャップ１１４はカクテルシェーカーサブアセンブリ１４０の内部の材料１７０を密封するために蓋１１２へねじ込まれてもよい。この時点で、ユーザー１７４（図５Ｂを参照）はカクテルシェーカーサブアセンブリ１４０をシェイクして材料１７０を共に混合してもよい。ユーザー１７４がカクテルシェーカーサブアセンブリ１４０のシェイクを終了した際には、キャップ１１４は蓋１１２から取り外されてもよい（ねじから外す）。この時点で、シェイクする材料１７０はカクテルシェーカーサブアセンブリ１４０から（例えば、図２Ａ〜３及び１５に図示されたコップ１２０の１つへ）注がれてもよい。
【００４３】
蓋１１２は、蓋１１２の下方蓋部１９４の下方コネクタ部２２４の外面２３６と容器１１０の内面１８９との間のいかなる摩擦にも打ち勝つのに十分な力で係合解除方向（例えば、反時計回り方向）に蓋１１２を回動することによって容器１１０から係合解除されてもよい。蓋１１２が係合解除方向（例えば、反時計回り方向）に回動されるにつれて、突起１８６Ａ〜１８６Ｄが開口部２４２Ａ〜２４２Ｄ（図８を参照）に、それぞれ、隣接するまで突起１８６Ａ〜１８６Ｄは外側チャネル２３８Ａ〜２３８Ｄを通って、それぞれ、移動する。突起１８６Ａ〜１８６Ｄが外側チャネル２３８Ａ〜２３８Ｄ内に、それぞれ、摺動するにつれて、蓋１１２は容器１１０の上部１８０において形成された開口部１８４から外向きに移動する。突起１８６Ａ〜１８６Ｄが開口部２４２Ａ〜２４２Ｄに、それぞれ、隣接している際には、縦軸１３０（図２Ａ及び４を参照）に沿って容器１１０から離れる方向に蓋１１２を引っ張ることによって蓋１１２が容器１１０から係合解除される。かくて、蓋１１２は捩じられて容器１１０から離れるとして記載されてもよい。
【００４４】
第１の搾汁サブアセンブリ
図５Ａ及び５Ｂは第１の搾汁サブアセンブリ１５０の断面図である。図５Ａ及び５Ｂを参照すると、第１の搾汁サブアセンブリ１５０を形成するために容器１１０、蓋１１２（容器１１０に対して逆向きで）、及び柑橘搾り器１１６（蓋１１２に対して使用向きで）が組み立てられてもよい。ストレーナー１９０は第１の搾汁サブアセンブリ１５０内部で蓋１１２から省略されてもよい。しかしながら、これは要求ではない。例えば、図５Ｂを参照すると、ストレーナー１９０はチャネル２０４内に上方ネジ山部２００の内部に恒久的に取り付けられてもよい（例えば、溶接されて）。
【００４５】
柑橘搾り器１１６及び蓋１１２は互いに対して回動自在である。簡略のために、アセンブリを形成する、またはアセンブリを分解するためにこれらの構成要素の一方が他方に対して回動されてもよいときはいつでも、柑橘搾り器１１６は蓋１１２に対して回動されるものとして記載される。しかしながら、代替において、蓋１１２は柑橘搾り器１１６に対して回動されてもよい、もしくは蓋１１２及び柑橘搾り器１１６の両方が互いに対して同時に（反対方向に）回動されてもよい。
【００４６】
図５Ａを参照すると、第１の搾汁サブアセンブリ１５０において、蓋１１２が容器１１０に対して逆向きに設置され、かつ上方蓋部１９２が容器１１０の開口部１８４（図３を参照）内へ挿入される。下方蓋部１９４の握り部２２２が容器１１０の上方縁部１８５上に載る。上方蓋部１９２は下方蓋部１９４から容器１１０の内部１６８内へ下向きに延在する。チャネル２０４及び２２６は両方とも容器１１０の縦軸１３０（図２Ａ及び２Ｂを参照）と整合し、かつそれに沿って延在する。柑橘搾り器１１６は蓋１１２に対して使用向きで位置決めされかつ貫通チャネル２２６の内部で下方蓋部１９４に連結される。柑橘搾り器１１６がチャネル２２６を横切ってかつ下方開口部２３０を越えて外向きに延在する。
【００４７】
柑橘搾り器１１６は剛性もしくは耐久性材料によって構成されてもよい。非限定例として、柑橘搾り器１１６はポリプロピレンによって構成されてもよい。
【００４８】
図１１及び１２を参照すると、柑橘搾り器１１６は外面３１２と共に一般にリング状上部本体部３１０及び外面３１６と共に一般にリング状下部本体部３１４を有する。上部本体部３１０は下部本体部３１４より大きい直径を有する。開放型内側チャネル３２０は柑橘搾り器１１６を通って延在する。図５Ａを参照すると、第１の搾汁サブアセンブリ１５０は完全に組み立てられる際には、内側チャネル３２０は容器１１０の縦軸１３０（図２Ａ及び２Ｂを参照）と整合し、かつ該縦軸に沿って延在する。
【００４９】
複数の突起３２４Ａ及び３２４Ｂは上部本体部３１０の外面３１２から外向きに延在する。図８を参照すると、外向きに延在する突起３２４Ａ及び３２４Ｂ（図１１及び１２を参照）は蓋１１２の、それぞれ、内側チャネル２４４Ａ及び２４４Ｂの、それぞれ、開口部２５４Ａ及び２５４Ｂの内部に受容されるように構成される。図１３及び１４を参照すると、柑橘搾り器１１６の外向きに延びる突起３２４Ａ及び３２４Ｂ（図１１及び１２を参照）が開口部２５４Ａ及び２５４Ｂ（図８を参照）の内部に、それぞれ、受容されるとき、柑橘搾り器１１６は蓋１１２に対して格納向き（図１３を参照）もしくは使用向き（図１４を参照）のいずれかであってもよい。
【００５０】
図１１を参照すると、柑橘搾り器１１６は内側チャネル３２０を横切って位置決めされた円板状ストレーナー３５２から上向きに延在する（上部本体部３１０を越えて）円錐形もしくはドーム状搾り突起３５０を有する。図示された実施形態において、ストレーナー３５２は、上部本体部３１０が下部本体部３１４に取り付く位置においてまたは位置近傍に位置決めされる。搾り突起３５０はストレーナー３５２の中央部３５６においてまたは近傍に位置決めされる。搾り突起３５０は、複数の外向きに延びるフィンもしくはリブ３６０を有しそれらの間に隙間（ｉｎｔｅｒｓｔｉｔｉａｌ）チャネル３６２が画定される。ストレーナー３５２は、柑橘果汁１７２（図５Ｂを参照）がそこを通過可能にするように構成される複数の貫通穴３５４を含む。
【００５１】
図１２を参照すると、握り突起３７０は搾り突起３５０（図１１を参照）の下のストレーナー３５２の中央部３５６から下向きに延在する。柑橘搾り器１１６が蓋１１２に対して格納向き（図２Ａ〜３、１３、及び１５を参照）にあるとき、ユーザーは握り突起３７０を握りかつ回動力（係合方向もしくは係合解除方向に）を柑橘搾り器１１６に加えることによって柑橘搾り器１１６を回動してもよい。あるいは、柑橘搾り器１１６が蓋１１２に対して使用向き（図５Ａ、５Ｂ、及び１４を参照）にあるとき、ユーザーは搾り突起３５０を握って回動力（係合方向もしくは係合解除方向に）を柑橘搾り器１１６に加えることによって柑橘搾り器１１６を回動してもよい。
【００５２】
第１の搾汁サブアセンブリ１５０の一部を形成するために蓋１１２及び柑橘搾り器１１６を共に組み立てるには、柑橘搾り器１１６が蓋１１２に対して使用向きで設置されかつ下方開口部２３０を通って下蓋部１９４のチャネル２２６の中へ挿入される。外向きに延在する突起３２４Ａ及び３２４Ｂは、それぞれ、下方蓋部１９４の、それぞれ、内側チャネル２４４Ａ及び２４４Ｂの、それぞれ、開口部２５４Ａ及び２５４Ｂと整合し、かつその中へ挿入される。柑橘搾り器１１６の外向きに延在する突起３２４Ａ及び３２４Ｂが開口部２５４Ａ及び２５４Ｂの内部へ、それぞれ、位置決めされた後、柑橘搾り器１１６は下方蓋部１９４のチャネル２２６内へ更に押されて、突起３２４Ａ及び３２４Ｂを内側チャネル２４４Ａ及び２４４Ｂの、それぞれ、第１の脚部２４６（図８を参照）内に長手方向に摺動させる。突起３２４Ａ及び３２４Ｂが内側チャネル２４４Ａ及び２４４Ｂの第１の脚部２４６の端部に、それぞれ、到達するとき突起３２４Ａ及び３２４Ｂのこの内向きの長手方向の移動は停止されてもよい。それから、柑橘搾り器１１６は係合方向（例えば、時計回り方向）に回動され、突起３２４Ａ及び３２４Ｂを第１の脚部２４６から第２の脚部２４８の中へ摺動させる。突起３２４Ａ及び３２４Ｂが内側チャネル２４４Ａ及び２４４Ｂの第２の脚部２４８内に、それぞれ、円周方向に摺動して、突起２５０を横断して、かつ内側チャネル２４４Ａ及び２４４Ｂの閉じた端部２５２によって、それぞれ、停止されるまで、ユーザーは柑橘搾り器１１６を回動し続ける。
【００５３】
突起３２４Ａ及び３２４Ｂが第２の脚部２４８にあるとき、突起３２４Ａ及び３２４Ｂが開口部２５４Ａ及び２５４Ｂから円周方向に、それぞれ、間隔を開けかつ柑橘搾り器１１６が蓋１１２から長手方向に係合解除されることができない。かくて、柑橘搾り器１１６が蓋１１２上に捩じられるとして記載されてもよい。換言すれば、バイオネット型結合（突起３２４Ａ及び３２４Ｂがバイオネットマウントとして機能する）が柑橘搾り器１１６を蓋１１２に取り外し可能に取り付けるために使用される。突起２５０は、係合解除方向（例えば、反時計回り方向）に蓋１１２に対して柑橘搾り器１１６の不注意のもしくは意図しない回動を防止するのに助けになる。加えて、下方蓋部１９４の下部接続部２２４の内面２３４及び柑橘搾り器１１６の上部本体部３１０の外面３１２との間の摩擦は、蓋１１２に対して柑橘搾り器１１６の係合解除方向（例えば、反時計回り方向）への不注意のもしくは意図しない回動を防止するのに助けになり得る。
【００５４】
次に、第１の搾汁サブアセンブリ１５０は容器１１０に対して逆向きに蓋１１２（柑橘搾り器１１６をそれに連結した状態で）を置くことによって、かつ下方蓋部１９４の握り部２２２が容器１１０の上方縁部１８５上に載るまで蓋１１２の上方蓋部１９２を容器１１０の開口部１８４（図３を参照）の中へ挿入することによって組み立てられてもよい。
【００５５】
図５Ｂを参照すると、柑橘果汁１７２を生成するために柑橘果物３００は柑橘搾り器１１６の搾り突起３５０に対して押し付けられかつ湾曲した双方向の矢印３８０によって識別される方向に回動されてもよい。これは回動力を搾り突起３５０に加え、それは柑橘搾り器１１６によって蓋１１２へ並進されてもよい。ユーザー１７４は蓋１１２が容器１１０に対して回動するのを防止するために握り部２２２と容器１１０を同時に握ってもよい。
【００５６】
生成された柑橘果汁１７２は貫通穴３５４を通って下向きに流れてチャネル２２６の中に入る。柑橘果汁１７２はチャネル２２６を通ってチャネル２０４の中に流れて上方開口部２０６を通ってそこから出て行く。上方開口部２０６から出てゆく柑橘果汁１７２は容器１１０の内部１６８へ入りそこで集まる。
【００５７】
柑橘果汁１７２が集められた後、蓋１１２を、柑橘搾り器１１６がそこに連結されたまま容器１１０から取り外すことによって第１の搾汁サブアセンブリ１５０を分解してもよい。それから、柑橘搾り器１１６は係合解除方向（例えば、反時計回り方向）に柑橘搾り器１１６を、突起３２４Ａ及び３２４Ｂ（図１１及び１２を参照）が第２の脚部２４８（図８を参照）から第１の脚部２４６（図８を参照）の中へ摺動するまで、回動することによって蓋１１２から係合解除されてもよい。それから、柑橘搾り器１１６は蓋１１２から外向き引っ張られ、突起３２４Ａ及び３２４Ｂを第１の脚部２４６を通って開口部２５４Ａ及び２５４Ｂ（図８を参照）の外へ、それぞれ、摺動させる。かくて、柑橘搾り器１１６は捩じられて蓋１１２から外されるとして記載されてもよい。
【００５８】
任意で、付加的材料が開口部１８４（図３を参照）を通って容器１１０へ追加されてもよい。それから、図４を参照すると、カクテルシェーカーサブアセンブリ１４０（図４を参照）を形成するために容器１１０、蓋１１２、及びキャップ１１４が組み立てられてもよい（上述した通り）。最後に、ユーザーはカクテルシェーカーサブアセンブリ１４０（図４を参照）内部の材料１７０をシェイクしてもよい。材料１７０がシェイクされた後、キャップ１１４は蓋１１２から取り外されて材料１７０は蓋１１２を通ってカクテルシェーカーサブアセンブリ１４０から注がれてもよい。非限定例として、シェイクする材料１７０は１つ以上のコップ１２０（図２Ａ〜３及び１５を参照）の中へ注がれてもよい。
【００５９】
第２の搾汁サブアセンブリ
図６Ａ及び６Ｂを参照すると、第２の搾汁サブアセンブリ１６０は柑橘搾り器１１６をコップ１２０の１つの中へ部分的に挿入することによって組み立てられる。コップ１２０は実質的に互いに同一である。したがって、簡略化を目的として、コップ１２０の１つだけ、すなわち、コップ１２０Ａについて、以下に詳細に説明する。
【００６０】
図６Ａを参照すると、コップ１２０Ａは側壁４０２によって画定された流体密中空内部４００及び閉じたベースすなわち底部４０４を有する。側壁４０２は底部４０４から上向きに延在しかつリム部４１２において終端する。内部４００へ通じる開口部４１０はリム部４１２によって画定される。リム部４１２は閉じた底部４０４の反対側にある。側壁４０２は底部４０４に隣接するベース部４１４を有する。
【００６１】
開口部４１０はコップ１２０（図２Ａ、３、及び１５を参照）の異なる１つのベース部４１４を受容するように構成される。例えば、コップ１２０Ｂ（図２Ａ、３、及び１５を参照）は、コップ１２０Ａを直立（そのベース部４１４の上）に置きかつコップ１２０Ｂのベース部４１４をコップ１２０Ａの開口部４１０の中へ挿入することによってコップ１２０Ａの上に積み重ねられてもよいもしくはその内部に入れ子状になっていてもよい。この構成において、コップ１２０Ｂはコップ１２０Ｂの内部４００の中へ少なくとも部分的に下向きに延在する。このようにして入れ子状になっている際には、コップ１２０Ａ及び１２０Ｂは容器１１０′（図１５を参照）の中空内部１６８′（図１５を参照）の内部に位置決めされてもよい。あるいは、コップ１２０Ｃ（図２Ａ及び３を参照）は、コップ１２０Ｂの中に入れ子状になっていてもよい、これはコップ１２０Ａの中に入れ子状になっている。加えて、図２Ａ及び３に示されるように、コップ１２０Ｄはコップ１２０Ｃの中に入れ子状になっていてもよい、これはコップ１２０Ｂの中に入れ子状になっている、これはコップ１２０Ａの中に入れ子状になっている。このようにして入れ子状になっている際には、コップ１２０Ａ〜１２０Ｄは容器１１０の内部１６８の中に位置決めされてもよい。
【００６２】
図６Ａ及び６Ｂを参照すると、上述した通り、第２の搾汁サブアセンブリ１６０は、柑橘搾り器１１６をコップ１２０Ａの中に部分的に挿入することによって組み立てられる。図６Ａを参照すると、柑橘搾り器１１６の下部本体部３１４はコップ１２０Ａの開口部４１０の内部に受容されるように構成される。図６Ｂに示されるように、上部本体部３１０は大きすぎて開口部４１０（図６Ａを参照）を通過できない。その代わりに、上部本体部３１０はコップ１２０Ａの側壁４０２のリム部４１２の上に載る。この構成において、下部本体部３１４（図６Ａを参照）はコップ１２０Ａの内部４００（図６Ａを参照）の中へ延在する。
【００６３】
第２の搾汁サブアセンブリ１６０を使用して柑橘果汁１７２（図５Ｂを参照）を生成してもよい。柑橘果汁１７２（図５Ｂを参照）を生成するために、柑橘果物３００（図５Ｂを参照）は柑橘搾り器１１６の搾り突起３５０に対して押し付けてられてもよい、これはストレーナー３５２において貫通穴３５４を通って流れかつコップ１２０Ａの内部に集まる。
【００６４】
柑橘果汁１７２が集められた後、コップ１２０Ａから柑橘搾り器１１６を取り外すことによって第２の搾汁サブアセンブリ１６０は分解されてもよい。それから、ユーザーは生を絞った柑橘果汁１７２をコップ１２０Ａから飲んでもよい、もしくは柑橘果汁１７２をコップ１２０Ａから別の容器の中へ注いでもよい。例えば、柑橘果汁１７２は開口部１８４（図３を参照）を通って容器１１０の中へ注がれてもよい。図４を参照すると、任意で、付加的材料が開口部１８４（図３を参照）を通って容器１１０へ追加されてもよい。それから、カクテルシェーカーサブアセンブリ１４０（図４を参照）を形成するために容器１１０、蓋１１２、及びキャップ１１４が組み立てられてもよい（上述した通り）。最後に、ユーザーはカクテルシェーカーサブアセンブリ１４０（図４を参照）内部の材料１７０をシェイクしてもよい。材料１７０がシェイクされた後、キャップ１１４は蓋１１２から取り外されてもよく、また材料１７０は蓋１１２を通ってカクテルシェーカーサブアセンブリ１４０から注がれてもよい。非限定例として、該シェイクされた材料１７０はコップ１２０（図２Ａ及び３を参照）の１つ以上の中に注がれてもよい。
【００６５】
アセンブリ
図２Ａ〜３を参照すると、アセンブリ１００はコップ１２０Ａ〜１２０Ｄを入れ子にしてかつ該入れ子状になっているコップ１２０を容器１１０の内部１６８の中に置くことによって組み立てられてもよい。ストレーナー１９０（図２Ｂ〜５Ｂ、７、及び１５を参照）が上方蓋部１９２から取り外された場合、ストレーナー１９０は上方蓋部１９２の中へ挿入される。柑橘搾り器１１６（蓋１１２に対して格納向きの）は蓋１１２上に捩じられる。次に、蓋１１２（柑橘搾り器１１６がそれに連結された状態で）が容器１１０に対して直立向きで設置されかつ容器１１０の上部１８０上に捩じられる。最後に、キャップ１１４は上方蓋部１９２の上方ネジ山部２００上にねじ込まれる。
【００６６】
アセンブリ１００は、キャップ１１４をねじってはずしかつ上方蓋部１９２の上方ネジ山部２００からそれを係合解除するためにキャップ１１４を係合解除方向（例えば、反時計回り方向）に捩じるもしくは回動することによって分解されてもよい。次に、蓋１１２（柑橘搾り器１１６がそれに連結されている状態で）が容器１１０の上部１８０に対して捩じられる。柑橘搾り器１１６は、所望されるなら、蓋１１２に対して捩じられてもよい。入れ子状になっているコップ１２０は容器１１０の内部１６８の内側から取り外され、また任意で、入れ子状にしない。
【００６７】
図１５を参照すると、アセンブリ１００′はコップ１２０Ａ及び１２０Ｂを入れ子にしてかつ入れ子状になっているコップ１２０を容器１１０′の内部１６８′の内側に置くことによって組み立てられてもよい。ストレーナー１９０が蓋１１２の上方蓋部１９２から取り外された場合、ストレーナー１９０は上方蓋部１９２の中へ挿入される。柑橘搾り器１１６（蓋１１２に対して格納向きの）は蓋１１２上で捩じられる。次に、蓋１１２（柑橘搾り器１１６がそれと連結された状態で）が容器１１０′に対して直立向きに設置されかつ容器１１０′の上部１８０′上で捩じられる。最後に、キャップ１１４が上方蓋部１９２の上方ネジ山部２００上でねじ込まれる。
【００６８】
アセンブリ１００′はキャップ１１４を外してかつそれを上方蓋部１９２の上方ネジ山部２００から係合解除するためにキャップ１１４を係合解除方向（例えば、反時計回り方向）に捩じるもしくは回動することによって分解されてもよい。次に、蓋１１２（柑橘搾り器１１６がそれと連結された状態で）が容器１１０′の上部１８０′に対して捩じられる。柑橘搾り器１１６は、所望であれば、蓋１１２に対して捩じられてもよい。入れ子状になっているコップ１２０は容器１１０′の内部１６８′の内側から取り外され、また任意で、入れ子状になっていない。
【００６９】
任意で、カクテルシェーカーサブアセンブリ１４０（図４を参照）は、蓋１１２（柑橘搾り器１１６がそれに連結されないで）を容器１１０′に対して直立向きに置いて、容器１１０′の上部１８０′上で蓋１１２を捩じることによって組み立てられてもよい。ストレーナー１９０が蓋１１２の上蓋部１９２から取り外された場合、蓋１１２が容器１１０′上で捩じられる前もしくは後にストレーナー１９０は上方蓋部１９２の中へ挿入されてもよい。それから、キャップ１１４は上方蓋部１９２の上方ネジ山部２００上へねじ込まれる。カクテルシェーカーサブアセンブリ１４０（図４を参照）を分解するには、キャップ１１４が蓋１１２から取り外され、かつ蓋１１２が容器１１０′の上部１８０′に対して捩じられる。
【００７０】
任意で、第１の搾汁サブアセンブリ１５０（図５Ａ及び５Ｂを参照）は、柑橘搾り器１１６を蓋１１２に対して使用向きに置き、かつ柑橘搾り器１１６を蓋１１２上で捩じることによって組み立てられてもよい。それから、蓋１１２は容器１１０′に対して逆向きに設置され、かつ下方蓋部１９４の握り部２２２が、容器１１０′の上部１８０′上に載るまで上方蓋部１９２が容器１１０′の内部１６８′の中へ挿入される。第１の搾汁サブアセンブリ１５０（図５Ａ及び５Ｂを参照）を分解するには、蓋１１２は容器１１０′から取り外される。それから、柑橘搾り器１１６は、所望であれば、蓋１１２に対して捩じられてもよい。
【００７１】
以上に記載された実施形態は、異なる他の構成要素内に収容される、または接続される異なる構成要素について描写している。このように描写されたアーキテクチャは単に例示的であること、かつ実際の所、多くの他のアーキテクチャを実施することができ、それらが同じ機能性を達成することが理解されるべきである。概念的な意味において、同じ機能性を達成するための構成要素のいかなる配置も、所望の機能性が達成されるように効果的に「関連付け」されている。よって、ある特定の機能性を達成するために本明細書において組み合わされたいかなる２つの構成要素も、アーキテクチャもしくは中間の構成要素とは無関係に、所望の機能性が達成されるように互いに「関連付けられている」として見ることができる。同様に、そのように関連付けられたいかなる２つの構成要素もまた、「動作可能に接続されている」、または所望の機能性が達成するために互いに「動作可能に連結されている」として見られることができる。
【００７２】
本発明の特定の実施形態が示されてきたかつ記載されてきた一方で、本明細書における教示に基づいて、本発明及びそれのより幅広い態様から逸脱することなく、変更及び修正がなされてもよい、またしたがって、添付の請求の範囲がそれらの範囲内に、本発明の真の趣旨及び範囲内にあるような変更及び修正をすべて包含することは当業者にとって明白であろう。更に、本発明が添付の請求の範囲のみによって定義されることが理解されるべきである。一般的に、本明細書において、及び特に添付の請求の範囲（例えば、添付の請求の範囲の要部）で使用される用語は、一般的に「非限定的（ｏｐｅｎ）」用語として意図されている（例えば、「含んでいる」（ｉｎｃｌｕｄｉｎｇ）という用語は、「・・・を含んでいるが限定されない（ｉｎｃｌｕｄｉｎｇ  ｂｕｔ  ｎｏｔ  ｌｉｍｉｔｅｄ  ｔｏ）として解釈されるべきであり、「有している（ｈａｖｉｎｇ）」という用語は、「少なくとも・・・を有している（ｈａｖｉｎｇ  ａｔ  ｌｅａｓｔ）として解釈されるべきであり、「含む（ｉｎｃｌｕｄｅｓ）」という用語は、「・・・を含むが限定されない（ｉｎｃｌｕｄｅｓ  ｂｕｔ  ｉｓ  ｎｏｔ  ｌｉｍｉｔｅｄ  ｔｏ）として解釈されるべきである。）ことが当業者によって理解されるであろう。更に、導入されたクレーム記載（ｉｎｔｒｏｄｕｃｅｄ  ｃｌａｉｍ  ｒｅｃｉｔａｔｉｏｎ）において特定の数が意図される場合、そのような意図は当該クレーム中に明確に記載され、そのような記載がない場合は、そのような意図も存在しないことが当業者には理解されるであろう。理解を助けるために、例えば、後続の添付する請求の範囲では、「少なくとも１つの（ａｔ  ｌｅａｓｔ  ｏｎｅ）及び「１つ以上の（ｏｎｅ  ｏｒ  ｍｏｒｅ）」といった導入句を使用し、クレーム記載を導入することがある。しかし、このような句を使用するからといって、「ａ」もしくは「ａｎ」といった不定冠詞によりクレーム記載を導入した場合に、たとえ同一のクレーム中に「１つ以上の」もしくは「少なくとも１つの」といった導入句と「ａ」もしくは「ａｎ」といった不定冠詞との両方が含まれるとしても、当該導入されたクレーム記載を含む特定のクレームが、当該記載事項を１つのみ含む発明に限定されるということが示唆されると解釈されるべきではない（例えば、「ａ」及び／もしくは「ａｎ」は通常は、「少なくとも１つの」もしくは「１つ以上の」を意味すると解釈されるべきである）。定冠詞を使用してクレーム記載を導入する場合も同様のことが当てはまる。加えて、導入されたクレーム記載において特定の数が明示されている場合であっても、そのような記載は、通常、「少なくとも」記載された数を意味するように解釈されるべきことは、当業者には理解されるであろう（例えば、他に修飾語のない、単なる「２つの記載事項」という記載がある場合、この記載は、通常、「少なくとも」２つの記載事項、もしくは「２つ以上の」記載事項を意味する）。
【００７３】
したがって、本発明は添付された請求の範囲による場合を除いて限定されない。
【図１】
2017127633.tif 000003
【図２Ａ】
2017127633.tif 000004
【図２Ｂ】
2017127633.tif 000005
【図３】
2017127633.tif 000006
【図４】
2017127633.tif 000007
【図５Ａ】
2017127633.tif 000008
【図５Ｂ】
2017127633.tif 000009
【図６Ａ】
2017127633.tif 000010
【図６Ｂ】
2017127633.tif 000011
【図７】
2017127633.tif 000012
【図８】
2017127633.tif 000013
【図９】
2017127633.tif 000014
【図１０】
2017127633.tif 000015
【図１１】
2017127633.tif 000016
【図１２】
2017127633.tif 000017
【図１３】
2017127633.tif 000018
【図１４】
2017127633.tif 000019
【図１５】
2017127633.tif 000020